(57)【特許請求の範囲】
【請求項１】
２本の支柱の間で上下動するように設置されたパネルを有する商品取扱ドアに用いられる支柱であって、
前記パネルの１方のエッジを誘導するための滑り溝を有し、
当該滑り溝は２つの壁部（４Ａおよび４Ｂ）によって規定されており、各々の壁部は外面と内面とを有し、２つの壁部のそれぞれの内面は、両者の間に、スライド面に中心がくるスライド空間を形成しており、
前記支柱が壁に取り付けられた際に、前記スライド面が当該壁と平行になるように当該壁に対向する構成の１つの平面（１４Ｆ）をさらに有し、
前記２つの壁部（４Ａおよび４Ｂ）は、水平方向の断面が、２つのＵ字が並列した形状であって、当該Ｕ字形状のそれぞれは、隣り合うブランチが頂上部分でウェブを介して連結されたものであり、
前記２つの壁部における一方の壁部（４Ｂ）の外面（１４Ｅ）は、前記平面（１４Ｆ）を通る平面とともに、前記パネルの前記エッジが前記滑り溝から外れた際に当該エッジを収容することが可能な空間（１５）を規定していることを特徴とする支柱。
【請求項２】
付属品として、平衡錘（３）、制御機器、またはダクトを収容することができるだけの内部空間を形成するカバーが取り付けられていることを特徴とする請求項１に記載の支柱。
【請求項３】
請求項１又は２に記載の２つ支柱と、少なくとも１本の補強バー（３０）を有するフレキシブルカーテンとを備えた商品取扱ドアであって、
前記各支柱の他方の壁部（４Ａ）の外面（１４Ｄ）が前記カーテンの面にほぼ沿っており、当該面に沿って前記補強バー（３０）の各エッジが位置しており、当該エッジのそれぞれにスライドシュー（４０）が取り付けられていることを特徴とする商品取扱ドア。
【請求項４】
前記スライドシュー（４０）は、ベース（４３）を有しており、
当該ベース（４３）が、
前記滑り溝内に進入してスライドするガイド部材（４４、５８）と、
前記補強バー（３０）のエッジに形成されたキャビティ（３９）に係合するエンドピース（４５）と、
前記壁部（４Ａ）の外面（１４Ｄ）に沿ってスライドするスライドタブ（４６）と、
を保持していることを特徴とする請求項３に記載の商品取扱ドア。
【請求項５】
前記ガイド部材がペグ（４４、５８）であることを特徴とする請求項４に記載の商品取扱ドア。
【請求項６】
前記ガイド部材は、前記スライドシュー（４０）の前記ベース（４３）に取り付けられたピン（５９）に回転可能に設けられたローラ（５８）であることを特徴とする請求項４に記載の商品取扱ドア。
【発明の詳細な説明】
【０００１】
本発明は、商品取扱ドアに関する。
【０００２】
「商品取扱ドア」とは、工場、倉庫、格納庫、商店などに設置され、異なる空間同士の間、あるいは外部との連絡を可能とするとともに、前記の空間同士の間で、あるいは空間から外部に対し、熱や騒音が漏れないようにするドアを示す語である。
【０００３】
このようなドアは、壁に設けられた開口部を開閉することで、素早く開閉できるようになっていなければならない。これは、人や車両が通過できるようにするためであるとともに、開くことで前述の熱や騒音が漏れてしまう時間をできるだけ短くするためである。
【０００４】
このようなドアの一種として、２本の直立した支柱の間に、上下動するように設置されたパネルから成るものがある。また、ドアの構造については、開口部の上側（または開口部の左右の一方）に、巻き取り型又は折り畳み型のカーテンを有するのが一般的である。このカーテンは、通常、１枚のフレキシブルシートか、蝶つがいで繋がれた複数のパネルでできている。そして、例えば開口部の上には、カーテンを巻き取るための回転シャフトが配置されているか、あるいは、カーテンを引き上げるためのストラップが設けられている。一般に、カーテンは、少なくとも１本の剛性バーによって補強されており、そのバーの両端は、カーテンの端の部分とともに、支柱内に設けられるか、前記支柱によって形成される滑り溝の中を垂直方向（水平方向とすることもできる）にスライドする。
【０００５】
その滑り溝は、カーテンのエッジを誘導するとともに、考えうる最良の密閉を実現する、という役割を果たす。
【０００６】
本発明の目的は、そうした種類のドアに用いられる支柱又は滑り溝を提供することである。公知の滑り溝としては、薄板を折り曲げ、そして、溶接することで作られるものがあるが、その他に、押出し加工（例えば、ドイツ特許明細書番号：７４ １１５９６、７４ １２４５０及び２９５ １３ ２７９の公報に開示されたもの）によって製造することもできる。キャリヤ支柱に滑り溝を設置する場合、ブラケット又は頂上部分の横木へ支柱又は滑り溝を取り付ける、モータ部材を保持するための台に溶接する、そして、ベースに最下部を固定する、という作業が通常必要となる。露出部分は、清掃の上で塗装を施さなければならない。
【０００７】
本発明の目的は、従来のものよりも容易に、高い精度で、素早く、そして低コストで製造できるとともに、より強固かつ頑丈であるような、滑り溝又は多機能滑り溝を保持する支柱を提供することである。また、本発明は、そのような支柱を使って造られるドアを提供することを目的とする。
【０００８】
図１３は、従来の非常に一般的な折り畳みカーテン型の商品取扱ドアを示す斜視図である。これは壁１０に配置されており、２つの屋内空間又は室内空間と屋外空間とを隔てる壁に設けられた開口部を開閉するものである。ドアは、滑り溝を備える支柱６２、６３の間を移動するように設置されたカーテン６１を有する。カーテンのエッジは、補強バー６４の端部の動きに合わせて、この滑り溝の中をスライドする。バー６４は、カーテン内に形成された水平方向のシースに収納されている。支柱６２、６３は、それらの頂上部において、水平方向の横木６５によって連結されている。支柱及び／又は横木は、何らかの適当な手段によって壁に固定されている。カーテンの頂上側の水平エッジは、横木内部に適切な形で取り付けらている。カーテンは垂直ストラップ６６によって動かされ、ストラップの下側端は一番下の補強バー６７に固定されている。そして、このバー自体もカーテンの下側の水平エッジに沿って固定されており、カーテンは、閉じた状態においては、地面に着いているか、地面近くの位置にある。
【０００９】
カーテンを上げる場合には、頂上部の横木６５に配置されたシャフトがストラップを巻き上げる。シャフトは電動機によって制御され、電気設備はカーテンを自動制御で上下できるようにする役割を果たす。バーを動かすために、ストラップが、バー６４に取り付けられたループ６８の中を通っている。また、バー６４を支えるシースにはウィンドウが設けられていて、そこにループを通すことができる。また、公知の装置を用いることで、車両が接近してきた際に、ドアを自動的に開かせることもできる。
【００１０】
また、ドイツ特許公報 ７ ４１１ ５９６号にも、滑り溝を備える支柱が開示されているが、この支柱は、押出し加工で製造可能な２つの部材から成っている。その支柱は、様々なものを固定する用途のための溝及びリブを備える形に作られている。すなわち、支柱の２つの部材を組立てたり、滑り溝が摩耗しないよう保護するとともにすべりをなめらかにするための滑りストリップを固定したりするためである。
【００１１】
本発明は、２本の支柱の間で上下動するように設置されたパネルを有する商品取扱ドアに用いられる支柱であって、前記パネルの１方のエッジを誘導するための滑り溝を有し、
当該滑り溝は２つの壁部によって規定されており、各々の壁部は外面と内面とを有し、２つの壁部のそれぞれの内面は、両者の間に、スライド面に中心がくるスライド空間を形成しており、前記支柱が壁に取り付けられた際に、前記スライド面が当該壁と平行になるように当該壁に対向する構成の１つの平面をさらに有し、前記２つの壁部は、水平方向の断面が、２つのＵ字が並列した形状であって、当該Ｕ字形状のそれぞれは、隣り合うブランチが頂上部分でウェブを介して連結されたものであり、前記２つの壁部における一方の壁部の外面は、前記平面を通る平面とともに、前記パネルの前記エッジが前記滑り溝から外れた際に当該エッジを収容することが可能な空間を規定していることを特徴とする。
【００１２】
本発明の効果的な実施形態においては、付属品として、平衡錘（３）、制御機器、またはダクトを収容することができるだけの内部空間を形成するカバーが取り付けられていることを特徴とする。
【００１３】
また、本発明は、２つの前記支柱と、少なくとも１本の補強バーを有するフレキシブルカーテンとを備えた商品取扱ドアであって、前記各支柱の他方の壁部の外面が前記カーテンの面にほぼ沿っており、当該面に沿って前記補強バーの各エッジが位置しており、当該エッジのそれぞれにスライドシューが取り付けられていることを特徴とする。
【００１４】
本発明の効果的な実施形態においては、前記スライドシューは、ベースを有しており、当該ベースが、前記滑り溝内に進入してスライドするガイド部材と、前記補強バーのエッジに形成されたキャビティに係合するエンドピースと、前記壁部の外面に沿ってスライドするスライドタブと、を保持していることを特徴とする。
【００１５】
本発明の効果的な実施形態においては、前記ガイド部材がペグであることを特徴とする。
【００１６】
本発明の効果的な実施形態においては、前記ガイド部材は、前記スライドシューの前記ベースに取り付けられたピンに回転可能に設けられたローラであることを特徴とする。
【００２１】
図１及び図２に示した、この実施の形態での支柱２０は、スナップ締め具による組立てが可能となるようにリブが設けられた２つの押出加工部材１、２から成っている。部材１は、カーブ部分と折り曲げ部分とを有するその形によって、強固な支柱を実現する。支柱の中で、Ａ及びＢで示す範囲にある部分の水平断面は、角が丸みを持つＷの形状、又は、２つのＵ字が並列した形状となっており、隣接する２つのブランチは頂上部分において、滑り溝の背面を形成するウェブ４Ｃによって連結されていて、２つのＵ字部分の間には、カーテンのエッジを通すのに必要な幅の間隔が開いている。Ｗの形に並んでいる２つのＵ字の各々は、滑り溝４における壁４Ａ、４Ｂを構成している。これら壁は、内面１４Ａ、１４Ｂと外面１４Ｄ、１４Ｅとを有する。滑り溝の背面は、開いていてもよいし、閉じていてもよい。本実施の形態では、滑り溝の背面４Ｃは閉じている。内面１４Ａと内面１４Ｂとの間の間隔は、ほぼ一定となっており、これらの面は、ドアを構成する移動パネルのエッジをスライドできる状態のまま保持できるようなスライド空間の境界を規定している。このスライド空間は、スライド面を規定し、このスライド面は、下に降ろされた状態でのドアパネルの面１６とほぼ一致する（図７参照）。本実施の形態では、滑り溝の壁はかなりの厚みを有し、中空となっている。滑り溝の外面１４Ｄ、１４Ｅは、パネルを構成するいくつかの部材（例えば、パネル用補強バーの端部、ガイド部材）に役立つスライド面を規定する。この構成の重要性については後述する。部材２は、カバーを形成する。本発明においては、支柱とカバーとの間に中空の空間が設けられており、この空間は、平衡錘３が中を移動するのに充分な大きさとなっている点が効果的である。押出し加工によって作られる場合、成形断面部材は、いったん長い形で作られてから、任意に切り分けられる。これらは、軽量合金、アルミニウム、またはプラスチックス材などから製造することができる。このように、部品については、軽量かつ丈夫で、腐食にも強く、加工や塗装の必要がないものを得ることができる。これは、製造においても保守においても経済的である。しかしながら、この支柱を他の方法（引抜成形、延伸加工、圧延加工、熱形成、連続成形、またはスタンピングなど）で製造したとしても、本発明の範囲から逸脱することはない。効果的なやり方としては、支柱を単一の操作で製造することのできる方法を用いるのがよい。ただし、２つの部品から構成される場合でも、少なくとも一方の部品を単一の操作で製造することとすれば効果はある。
【００２２】
図１、２に示す実施の形態では、支柱は、ドアを形成する移動パネルの面に平行な平面１４Ｆを備える形で形成されている。支柱は、この平面１４Ｆを壁に当てる形で壁に取り付けられるのであり、その位置は、ドアによって開閉される開口部の端の位置となる。前記平面は、滑り溝の壁のうち近い方の壁の外面１４Ｅから距離ｄだけ離れた位置にある。また、前記平面の中央エッジ１４Ｇと滑り溝の開口部との位置関係は、２つの面１４Ｅと１４Ｆとの間にできる空間１５が、パネルのエッジが滑り溝から外れた際に当該エッジを収容することができる程度の大きさとなるようなものである（図７参照）。
【００２３】
滑り溝は、所望の長さに切り出されてベースの上に立てられるが、このベースについては、型形成されるものとするのが効果的であり、図５に参照番号１１で示すようなものとしてもよい。当該ベースは、基礎板１２と、外部に滑り溝１、２を保持するのに適した縦の成形断面部材１３とを有する。穴を設ける必要も、何らかの溶接を施す必要もないので、時間が節約できるとともに、作業に伴うミスも避けることができる。また、塗装については、製造過程においても保守作業においても必要ない。また、溶接を行うと、寸法に狂いが生じて後で再調整や穴あけのやり直しが必要となることが多いが、こうした事態も避けられる。
【００２４】
本発明の実施の形態の変形例として、滑り溝の一部分及び／またはその他の部分にグルーブを設けることにしてもよい。そうすると、付属品をそこに取り付けることができ、しかも、付属品については成形断面部材であるか否かを問わない。図３の部分図においては、２つのグルーブ５、６が設けられている。カーテンのパネルが蛇腹状にたたまれた形で上まで持ち上げられた状態にある場合、滑り溝の一方に、折りたたまれたカーテンを反対側に押し戻すような壁を設けることは効果的がある。図３は、滑り溝の外側のエッジに形成されたグルーブ５にスナップ留めすることのできる押出し加工部品７、カーテンのバー８、そして、押出し加工部品に対向する位置にある折り畳まれたカーテン９を示す。このように、本発明の滑り溝は、カーテンを回転シャフトに巻き上げる巻き上げ式ドア、または、折り畳み型や「蛇腹」型のドアに対して用いることができる。
【００２５】
いろいろな場所にグルーブを設けて、制御キャビネット、平衡錘リリース用の引き手などの何らかのアクセサリーを滑り溝に取り付けることができるようにすることも可能である。一例として、こうしたグルーブにシーリング用ストリップを保持させることもできる。その場合、シーリング用ストリップは、カーテンが下げられた時にこれと接触するような位置に置かれ、それによって、カーテンを密封する。
【００２６】
図４は、本発明の滑り溝を安全システムに適用した場合を示す部分断面図である。滑り溝４のキャビティは、側面１４Ａ、１４Ｂ及び背面４Ｃによって形成されている。これを、縦方向に切り欠いてから、形を整えた上でフレキシブルファスナ１７、１８を用いて元の場所に戻す。こうすると、キャビティは、中央位置の周辺でいくらか柔軟に動くことができるようになる。また、適当な電気接点を設けることによって、カーテンから滑り溝にかかる力を検知でき、さらには、カーテンに加わる力も検知することができる。そうすると、警報信号を送信したり、コマンド（例えば、カーテンの引き上げを指示するコマンド、カーテンを降ろすのを中止して再び引き上げるよう指示するコマンド、警告のサイレンを鳴らすことを指示するコマンド、など）を発行させたりすることも可能となる。
【００２７】
滑り溝の形状は、１つの壁が２つの面１４Ａと１４Ｄ、または１４Ｂと１４Ｅとを有し両者の間に間隔が開いた形となっているが、こうした形状には、何より、滑り溝の壁だけでなく支柱全体にも強度をもたらす効果がある。ドアの寸法にそれだけの余裕があれば、図８に示すように、滑り溝の壁は、固く、薄くすることができる。また、図６、８に示す形の支柱であれば、滑り溝の背後の空間１５内に平衡錘を保持することもできる。そして、前記空間については、カバーによって覆うこととしてもよい。図１及び６に示す支柱は、それぞれ、壁への取り付けのために設けられた平面１４Ｆを有する。取り付け位置は開口部のエッジ部分であり、それによって、滑り溝４の配置は、カーテンが滑り溝から外れた場合にこれを壁の側に保持できるよう空間５１が空いた形となる。図８の断面図に示す支柱には、こうした平面が存在しない。この支柱については、壁１０に取り付けられた縦フランジ２３、２４のエッジ２１、２２によって位置が決定される。
【００２８】
図１及び図６、そして図８のいずれにも見られる通り、滑り溝の壁は支柱本体から突出している。これによって、滑り溝の壁の外面１４Ｄ、１４Ｅは、妨げるものがない状態とされる。全ての実施の形態において、滑り溝の外面１４Ｅは、少なくとも滑り溝の深さに対応する距離に渡って妨げるものがない状態にしておき、それによって、壁に近い方の側面に、滑り溝から外れたカーテンを保持するための空間１５が確保できるようにしておかなければならない。同様に、壁から遠い方の外面１４Ｄについても、壁から遠い方の側にカーテンが外れた際にそのエッジを保持できるよう、妨げるものがない状態にしておかなければならない。
【００２９】
滑り溝の壁の少くとも一方について、ある程度の厚みを持たせておけば、この構造を利用して、エッジを前記の面に当てることができるようなカーテン、あるいは、内部の補強バーのエッジに、前記の面に当てることが可能なスライド部材やガイド部材を設けたカーテン、を使用することも可能となる。
【００３０】
図９、図１０、そして図１２には、ドアの実施の形態の１つを部分的に示してある。図９が、補強バーのエッジ周辺におけるカーテンの斜視図である。
【００３１】
バー３０は、プラスチック製の成形断面部材であり、以下のような特徴がある。すなわち、それぞれ狭いスロットを介して外部に開いている２つのチャネル３５、３６を有し、そのスロットのエッジはそれぞれお互いに向き合う形で内側に曲がっている。また、これらチャネルは、カーテンのストリップ３１Ａ、３１Ｂにおいて厚みを持たされたエッジ３７、３８を収容、保持するよう構成されている。この例では、カーテンは、フレキシブルシートで作られた複数のストリップ３１Ａ、３１Ｂを水平に配置し、補強バーによって繋ぎ合わせる形で構成することができる。ストリップの水平エッジには、特に厚みを持たせた部分３７、３８がある。この部分については、ストリップのエッジをロッドに巻きつける、という形で形成すればよい。このようにすることで、補強バーのチャネル３５又は３６に、ストリップのエッジを抜けないようにはめ込むことが可能となる。バーに対して垂直な方向に引っ張る力がストリップに加えられても、エッジが外れることはない。
【００３２】
カーテンの誘導のために、本発明の滑り溝に保持するのに適したスライドシュー４０が、バーの端部に取り付けられている。このシューは、以下の４つの機能部分から成る（図１０、１２参照）。すなわち、他の３つの部分を保持するベース部分４３、滑り溝４に進入し、スライドするガイドペグ４４及び５８、破線で示すバー支持用エンドピース４５（支持される側のバーは、各々の端面において、前記エンドピースを受け入れるためのキャビティ３９を備えている（図９参照））、そして、ペグ４４と協動すると共に滑り溝の壁４Ａの外面１４Ｄに沿ってスライドすることでバー３０及びカーテン１のエッジを正しく誘導するスライドタブ４６（図１２参照）である。また、ガイドシューのベース部分４３については、例えば１以上の角ブラケットなどで補強することとしてもよい。
【００３３】
滑り溝の壁４Ａの厚みについては、当該壁の外面１４Ｄがほぼカーテンの面の所にくるような厚みにしておくのが効果的である。そのためには、滑り溝の軸をカーテンの面に対して水平方向にオフセットすればよい。そうすると、図１０、１２に示すように、カーテン保持チャネル３５と滑り溝の外面１４Ｄとがほぼ一直線の状態となる。こうした構成を用いれば、カーテンのエッジ３１Ａ（図１２参照）を、バーの終端を越える位置まで伸ばすことができる。そして、カーテンが張力を受ける状態、すなわち下に下げられている状態では、カーテンのエッジが前記の面１４Ｄに接触する位置にくるので、ドアを隙間なくふさぐことができる。スライドシューのベース部分４３は、チャネル３５、３６の背面の間で上の方に配置することとすればよい。また、それ以外にも、２つのノッチを備える形で作ることもできる。これらノッチは、バーの終端を越えて突き出すカーテンのストリップの厚くなったエッジを保持するためのものである。そうすると、ストリップの下側エッジ３１Ａは、スライドタブ４６内に形成されたチャネルに取り付けることができる。
【００３４】
図１０に示すように、カーテンは、滑り溝の外面１４Ｄと同じ側で、壁から離れた位置に来る。しかしながら、本発明の構成によれば、カーテンを滑り溝の反対側、すなわち、支柱の平面１４Ｆに近い方の滑り溝外面１４Ｅの側で、壁に接触するよう配置することもできる。これは、カーテンを保持するのに十分な大きさの空間１５が外面１４Ｅと壁１０との間に確保されているためである。図１１は、同様の滑り溝を備える同様の支柱に２枚のカーテンを取り付けることを可能とするような、ガイドシュー５０の平面図である。このシューは、ベース部分５１、ガイドペグ５２、２つのバー支持用エンドピース５３、５４、そして、２つのスライドタブ５５、５６を有する。これについては、対称的な水平面を備える形に作っておけば、ドアの設置が簡単になるので効果的である。
【００３５】
このように、「２重」あるい「２枚かさね」の形にカーテンが取り付けられた２本のバーを保持するのに適したシューを用いることも可能である。公知の様態としては、引き上げ用ストリップは２枚のシートの間に配置される。
【００３６】
図１２はスライドシューの変形例を示すものであり、この変形例では、ガイドペグは、シューのベース部分に固定されたピン５９を中心に回転するよう設置されたローラ５８から成る。そうすると、ローラは、滑り溝４の内部面１４、１４Ｂのいずれかに沿って転がる。このローラによって、摩耗及びノイズは低減される。また、ローラは、簡単に取り替えることができる。
【図面の簡単な説明】
添付図面は以下の通りである。
【図１】  本発明に係る多機能支柱の実施の形態を示す断面図である。
【図２】  図１に示す部材の斜視図である。
【図３】  変形例の一部分を示す断面図である。
【図４】  別の変形例の一部分を示す断面図である。
【図５】  本発明の支柱に用いられるベースを示す斜視図である。
【図６】  本発明の支柱のもう一つの実施の形態についての水平断面図である。
【図７】  開口部の各々の端で壁に取り付けられた状態の２本の支柱を示す水平断面図である。
【図８】  本発明に係る更に別の実施の形態を示す水平断面図である。
【図９】  カーテンの片側の一部分と共に、カーテン用の補強バーの一端を示す斜視図である。
【図１０】  カーテン用補強バーの一端を、本発明の滑り溝の中をすべるのに適したガイドシューを設置した状態で示す平面図である。
【図１１】  ガイドシューの変形例を示す平面図である。
【図１２】  補強バーより上の所で、切りかき部分と共にドアのエッジ部分を示す水平断面図である。
【図１３】  従来の商品取扱ドアの斜視図である。
【図１】
0004520040.tif 000002
【図２】
0004520040.tif 000003
【図３】
0004520040.tif 000004
【図４】
0004520040.tif 000005
【図５】
0004520040.tif 000006
【図６】
0004520040.tif 000007
【図７】
0004520040.tif 000008
【図８】
0004520040.tif 000009
【図９】
0004520040.tif 000010
【図１０】
0004520040.tif 000011
【図１１】
0004520040.tif 000012
【図１２】
0004520040.tif 000013
【図１３】
0004520040.tif 000014